(57)【特許請求の範囲】
【請求項１】
前面を自然光で照明したときに前記前面を観察している観察者が肉眼で視認可能な画像を表示する画像表示体であって、
二次元的に配列した複数の画素を具備し、
前記複数の画素の１つ以上は、可視光透過性を有している第１表示要素を備え、前記第１表示要素は、第１レリーフ構造が少なくとも一部に設けられた第１主面を有している第１光透過層と、前記第１主面を被覆した第１反射層とを含み、
前記第１表示要素を備えた前記画素の少なくとも１つは、可視光透過性を有している第２表示要素を、前記第１表示要素の前方に更に備え、前記第２表示要素は、第２レリーフ構造が少なくとも一部に設けられた第２主面を有している第２光透過層と、前記第２主面を被覆した第２反射層とを含み、前記第２主面のうち前記第２レリーフ構造が設けられている領域は、前記第１主面のうち前記第１レリーフ構造が設けられている領域と比較して面積がより小さく、
前記複数の画素の他の１つ以上は、前記第１表示要素を備えておらず、前記第２表示要素を備え、
前記第１レリーフ構造の配列は、特定の照明条件のもとで第１方向から観察した場合に第１画像を構造色の像として表示し、前記照明条件のもとで前記第１方向とは異なる第２方向から観察した場合に前記第１画像を構造色の像として表示しないか又は前記第１画像を前記第１方向から観察した場合と比較してより暗い構造色の像として表示し、
前記第２レリーフ構造の配列は、前記照明条件のもとで前記第２方向から観察した場合に第２画像を構造色の像として表示し、前記照明条件のもとで前記第１方向から観察した場合に前記第２画像を構造色の像として表示しないか又は前記第２画像を前記第２方向から観察した場合と比較してより暗い構造色の像として表示する画像表示体。
【請求項２】
前記複数の画素の１つ以上は、前記第１表示要素を備えており且つ前記第２表示要素を備えておらず、前記第１表示要素を備えており且つ前記第２表示要素を備えていない前記画素の各々は、可視光透過性を有しており且つ構造色を表示しない輝度調整要素を、前記第１表示要素の前方に更に備えた請求項１に記載の画像表示体。
【請求項３】
前記輝度調整要素は、前記第２主面に前記第２レリーフ構造が設けられていないこと以外は前記第２表示要素と構造、材料及び寸法が等しい請求項２に記載の画像表示体。
【請求項４】
鏡面反射層を前記複数の画素の後方に更に具備した請求項１乃至３の何れか１項に記載の画像表示体。
【請求項５】
前記第１及び第２レリーフ構造の各々は回折格子又はホログラムである請求項１乃至４の何れか１項に記載の画像表示体。
【請求項６】
前記第１及び第２レリーフ構造並びにそれらの配列は、前記観察者が右眼で前記第１及び第２画像の一方を視認し且つ左眼で前記第１及び第２画像の他方を視認したときに立体像を知覚するように構成されている請求項１乃至５の何れか１項に記載の画像表示体。
【請求項７】
前記第１レリーフ構造は、前記照明条件のもとで前記第１方向から観察した場合に第１構造色を表示するものと、前記照明条件のもとで前記第１方向から観察した場合に前記第１構造色とは異なる第２構造色を表示するものと、前記照明条件のもとで前記第１方向から観察した場合に前記第１及び第２構造色とは異なる第３構造色を表示するものとを含み、前記第２レリーフ構造は、前記照明条件のもとで前記第２方向から観察した場合に第４構造色を表示するものと、前記照明条件のもとで前記第２方向から観察した場合に前記第４構造色とは異なる第５構造色を表示するものと、前記照明条件のもとで前記第２方向から観察した場合に前記第４及び第５構造色とは異なる第６構造色を表示するものとを含み、前記第１及び第２画像の各々は多色画像である請求項１乃至６の何れか１項に記載の画像表示体。
【請求項８】
前記第１及び第２画像の少なくとも一方は個人情報を含んでいる請求項１乃至７の何れか１項に記載の画像表示体。
【請求項９】
前面を自然光で照明したときに前記前面を観察している観察者が肉眼で視認可能な画像を表示する画像表示体であって、
二次元的に配列した複数の画素を具備し、
前記複数の画素の１つ以上は、可視光透過性を有している第１表示要素を備え、前記第１表示要素は、第１レリーフ構造が少なくとも一部に設けられた第１主面を有している第１光透過層と、前記第１主面を被覆した第１反射層とを含み、前記第１レリーフ構造は、特定の照明条件のもとで第１回折光を射出するように構成され、
前記複数の画素の他の１つ以上は、前記第１表示要素を備えておらず、可視光透過性を有している第２表示要素を備え、前記第２表示要素は、第２レリーフ構造が少なくとも一部に設けられた第２主面を有している第２光透過層と、前記第２主面を被覆した第２反射層とを含み、前記第２レリーフ構造は、前記照明条件のもとで、前記第１レリーフ構造が前記第１回折光を射出する方向へ、前記第１回折光とは波長が異なる第２回折光を射出するように構成され、前記第２主面のうち前記第２レリーフ構造が設けられている領域は、前記第１主面のうち前記第１レリーフ構造が設けられている領域と比較して面積がより小さく、
前記第１表示要素を備えた前記画素の一部は、前記第２表示要素を、前記第１表示要素の前方に更に備え、
前記画像表示体は、前記照明条件のもとで前記方向から観察した場合に、前記第１及び第２表示要素のうち前記第１表示要素のみを備えた前記画素に対応した領域と、前記第１及び第２表示要素のうち前記第２表示要素のみを備えた前記画素に対応した領域と、前記第１及び第２表示要素の双方を備えた前記画素に対応した領域とで色相が異なる構造色の画像を表示する画像表示体。
【請求項１０】
前記構造色の画像は個人情報を含んでいる請求項９に記載の画像表示体。
【請求項１１】
前記個人情報は顔画像を含んでいる請求項８又は１０に記載の画像表示体。
【請求項１２】
請求項１乃至１１の何れか１項に記載の画像表示体と、
前記画像表示体をその前面側で剥離可能に支持した支持体と
を具備した転写箔。
【請求項１３】
請求項１乃至１１の何れか１項に記載の画像表示体と、前記画像表示体を支持した基材とを具備したラベル付き物品。
【請求項１４】
個人認証に使用される請求項１３に記載のラベル付き物品。
【発明の詳細な説明】
【技術分野】
【０００１】
本発明は、例えば個人認証に利用可能な画像表示技術に関する。
【背景技術】
【０００２】
パスポート及びＩＤ（identification）カードなどの個人認証媒体の多くは、目視による個人認証を可能とするために、顔画像を使用している。
【０００３】
例えば、パスポートでは、従来、顔画像を焼き付けた印画紙を冊子体に貼り付けていた。しかしながら、そのようなパスポートには、写真印画の貼り替えによる改竄のおそれがある。
【０００４】
このような理由で、近年では、顔画像の情報をデジタル化し、これを冊子体上に再現する傾向にある。この画像再現方法としては、例えば、転写リボンを用いた感熱転写記録法が検討されている。
【０００５】
しかしながら、昨今、昇華性染料又は着色した熱可塑性樹脂を使用する感熱転写記録方式のプリンタは広く普及している。この状況を考慮すると、パスポートから顔画像を取り除き、そこに別の顔画像を記録することは、必ずしも困難ではない。
【０００６】
特許文献１には、上述した方法で顔画像を記録し、その上に蛍光インキを用いて顔画像を記録することが記載されている。また、特許文献２には、無色又は淡色の蛍光染料と有色の顔料とを含有したインキを用いて顔画像を記録することが記載されている。更に、特許文献３には、通常の顔画像と、パール顔料を用いて形成した顔画像とを並べて配置することが記載されている。
【０００７】
これら技術をパスポートに適用すると、その改竄がより困難になる。しかしながら、蛍光材料を用いて記録した顔画像は、紫外線ランプなどの特殊な光源を使用しない限り観察することはできない。また、パール顔料を用いて形成した顔画像は、肉眼で視認することはできるものの、パール顔料は粒径が大きいため、これを用いて高精細な画像を形成することは困難である。
【０００８】
特許文献４には、多層膜を転写リボンから基材上へと転写することが記載されている。また、特許文献４には、カラー画像を表示するべく、表示色が異なる多層膜を並置することが記載されている。
【０００９】
通常、多層膜のパターンが表示する画像は、一般に流通している転写リボンを用いて再現することができないのに加え、肉眼で視認することができる。また、多層膜を転写する方法によると、パール顔料を用いた場合と比較して、優れた画質を達成できる。そして、この技術は、画像をオンデマンドで記録するのに適しており、個人情報の記録への応用が期待される。
【先行技術文献】
【特許文献】
【００１０】
【特許文献１】特開２０００−１４１８６３号公報
【特許文献２】特開２００２−２２６７４０号公報
【特許文献３】特開２００３−１７０６８５号公報
【特許文献４】特開平１０−４９６４７号公報
【発明の概要】
【発明が解決しようとする課題】
【００１１】
本発明者らは、より複雑な視覚効果を示す画像を高い画質で表示できれば、不正を抑止する効果が更に向上すると考えている。そこで、本発明は、複雑な視覚効果を示す画像を高い画質で表示可能とすることにある。
【課題を解決するための手段】
【００１２】
本発明の第１側面は、前面を自然光で照明したときに前記前面を観察している観察者が肉眼で視認可能な画像を表示する画像表示体であって、二次元的に配列した複数の画素を具備し、前記複数の画素の１つ以上は、可視光透過性を有している第１表示要素を備え、前記第１表示要素は、第１レリーフ構造が少なくとも一部に設けられた第１主面を有している第１光透過層と、前記第１主面を被覆した第１反射層とを含み、前記第１表示要素を備えた前記画素の少なくとも１つは、可視光透過性を有している第２表示要素を、前記第１表示要素の前方に更に備え、前記第２表示要素は、第２レリーフ構造が少なくとも一部に設けられた第２主面を有している第２光透過層と、前記第２主面を被覆した第２反射層とを含み、前記第２主面のうち前記第２レリーフ構造が設けられている領域は、前記第１主面のうち前記第１レリーフ構造が設けられている領域と比較して面積がより小さく、前記複数の画素の他の１つ以上は、前記第１表示要素を備えておらず、前記第２表示要素を備え、前記第１レリーフ構造の配列は、特定の照明条件のもとで第１方向から観察した場合に第１画像を構造色の像として表示し、前記照明条件のもとで前記第１方向とは異なる第２方向から観察した場合に前記第１画像を構造色の像として表示しないか又は前記第１画像を前記第１方向から観察した場合と比較してより暗い構造色の像として表示し、前記第２レリーフ構造の配列は、前記照明条件のもとで前記第２方向から観察した場合に第２画像を構造色の像として表示し、前記照明条件のもとで前記第１方向から観察した場合に前記第２画像を構造色の像として表示しないか又は前記第２画像を前記第２方向から観察した場合と比較してより暗い構造色の像として表示する画像表示体である。
【００１３】
本発明の第２側面は、前記複数の画素の１つ以上は、前記第１表示要素を備えており且つ前記第２表示要素を備えておらず、前記第１表示要素を備えており且つ前記第２表示要素を備えていない前記画素の各々は、可視光透過性を有しており且つ構造色を表示しない輝度調整要素を、前記第１表示要素の前方に更に備えた第１側面に係る画像表示体である。
【００１４】
本発明の第３側面は、前記輝度調整要素は、前記第２主面に前記第２レリーフ構造が設けられていないこと以外は前記第２表示要素と構造、材料及び寸法が等しい第２側面に係る画像表示体である。
【００１５】
本発明の第４側面は、鏡面反射層を前記複数の画素の後方に更に具備した第１乃至第３側面の何れかに係る画像表示体である。
【００１６】
本発明の第５側面は、前記第１及び第２レリーフ構造の各々は回折格子又はホログラムである第１乃至第４側面の何れかに係る画像表示体である。
【００１７】
本発明の第６側面は、前記第１及び第２レリーフ構造並びにそれらの配列は、前記観察者が右眼で前記第１及び第２画像の一方を視認し且つ左眼で前記第１及び第２画像の他方を視認したときに立体像を知覚するように構成されている第１乃至第５側面の何れかに係る画像表示体である。
【００１８】
本発明の第７側面は、前記第１レリーフ構造は、前記照明条件のもとで前記第１方向から観察した場合に第１構造色を表示するものと、前記照明条件のもとで前記第１方向から観察した場合に前記第１構造色とは異なる第２構造色を表示するものと、前記照明条件のもとで前記第１方向から観察した場合に前記第１及び第２構造色とは異なる第３構造色を表示するものとを含み、前記第２レリーフ構造は、前記照明条件のもとで前記第２方向から観察した場合に第４構造色を表示するものと、前記照明条件のもとで前記第２方向から観察した場合に前記第４構造色とは異なる第５構造色を表示するものと、前記照明条件のもとで前記第２方向から観察した場合に前記第４及び第５構造色とは異なる第６構造色を表示するものとを含み、前記第１及び第２画像の各々は多色画像である第１乃至第６側面の何れかに係る画像表示体である。
【００１９】
本発明の第８側面は、前記第１及び第２画像の少なくとも一方は個人情報を含んでいる第１乃至第７側面の何れかに係る画像表示体である。
【００２０】
本発明の第９側面は、前面を自然光で照明したときに前記前面を観察している観察者が肉眼で視認可能な画像を表示する画像表示体であって、二次元的に配列した複数の画素を具備し、前記複数の画素の１つ以上は、可視光透過性を有している第１表示要素を備え、前記第１表示要素は、第１レリーフ構造が少なくとも一部に設けられた第１主面を有している第１光透過層と、前記第１主面を被覆した第１反射層とを含み、前記第１レリーフ構造は、特定の照明条件のもとで第１回折光を射出するように構成され、前記複数の画素の他の１つ以上は、前記第１表示要素を備えておらず、可視光透過性を有している第２表示要素を備え、前記第２表示要素は、第２レリーフ構造が少なくとも一部に設けられた第２主面を有している第２光透過層と、前記第２主面を被覆した第２反射層とを含み、前記第２レリーフ構造は、前記照明条件のもとで、前記第１レリーフ構造が前記第１回折光を射出する方向へ、前記第１回折光とは波長が異なる第２回折光を射出するように構成され、前記第２主面のうち前記第２レリーフ構造が設けられている領域は、前記第１主面のうち前記第１レリーフ構造が設けられている領域と比較して面積がより小さく、前記第１表示要素を備えた前記画素の一部は、前記第２表示要素を、前記第１表示要素の前方に更に備え、前記画像表示体は、前記照明条件のもとで前記方向から観察した場合に、前記第１及び第２表示要素のうち前記第１表示要素のみを備えた前記画素に対応した領域と、前記第１及び第２表示要素のうち前記第２表示要素のみを備えた前記画素に対応した領域と、前記第１及び第２表示要素の双方を備えた前記画素に対応した領域とで色相が異なる構造色の画像を表示する画像表示体である。
【００２１】
本発明の第１０側面は、前記構造色の画像は個人情報を含んでいる第９側面に係る画像表示体である。
【００２２】
本発明の第１１側面は、前記個人情報は顔画像を含んでいる第８又は第１０側面に係る画像表示体である。
【００２３】
本発明の第１２側面は、第１乃至第１１側面の何れかに係る画像表示体と、前記画像表示体をその前面側で剥離可能に支持した支持体とを具備した転写箔である。
【００２４】
本発明の第１３側面は、第１乃至第１１側面の何れかに係る画像表示体と、前記画像表示体を支持した基材とを具備したラベル付き物品である。
【００２５】
本発明の第１４側面は、個人認証に使用される第１３側面に係るラベル付き物品である。
【発明の効果】
【００２６】
本発明によると、複雑な視覚効果を示す画像を高い画質で表示することが可能となる。
【００２７】
本発明の第１側面に係る画像表示体は、第１及び第２レリーフ構造を含んでいる。第１レリーフ構造の配列は、特定の照明条件のもとで第１方向から観察した場合に第１画像を構造色の像として表示し、この照明条件のもとで第１方向とは異なる第２方向から観察した場合に第１画像を構造色の像として表示しないか又は第１画像を第１方向から観察した場合と比較してより暗い構造色の像として表示する。第２レリーフ構造の配列は、上記照明条件のもとで第２方向から観察した場合に第２画像を構造色の像として表示し、この照明条件のもとで第１方向から観察した場合に第２画像を構造色の像として表示しないか又は第２画像を第２方向から観察した場合と比較してより暗い構造色の像として表示する。従って、この画像表示体には、例えば、立体画像を表示させること、又は、観察方向に応じて異なる画像を表示させることができる。即ち、この画像表示体は、複雑な視覚効果を示す。
【００２８】
また、同一平面に第１及び第２レリーフ構造を設ける場合、同一領域に第１及び第２画像の双方を表示させるためには、各画素を、第１レリーフ構造用のサブ画素と、第２レリーフ構造用のサブ画素とに分割しなければならない。この場合、高い解像度を達成するには、第１及び第２サブ画素を著しく小さくしなければならない。そのような画像表示体は、特に、オンデマンドで画像を記録するプロセスでの製造が難しい。それ故、高解像度を達成することが困難である。
【００２９】
これに対し、第１側面に係る画像表示体では、第１レリーフ構造を含んだ第１表示要素の前方に、第２レリーフ構造を含んだ第２表示要素を配置している。この構成を採用した場合、第１及び第２サブ画素を交互に並ぶように配置する必要がない。従って、上述した問題を生じず、比較的容易に高解像度を達成することができる。即ち、高い画質で画像を表示することができる。
【００３０】
更に、第１側面に係る画像表示体では、第１及び第２表示要素の双方を可視光透過性としている。それ故、例えば、第１及び第２表示要素に、同一の積層構造を採用することや、同一の材料を使用することが可能である。従って、第１方向から観察した場合における第１画像の明るさと、第２方向から観察した場合における第２画像の明るさとの比を、例えば、第１レリーフ構造が設けられている領域の面積と第２レリーフ構造が設けられている領域の面積との比に基づいて制御することができる。即ち、この画像表示体は、画像の明るさの制御が容易である。
【００３１】
本発明の第２側面に係る画像表示体は、第１側面に係る画像表示体について上述した構成を採用しているのに加え、以下の構成を採用している。即ち、複数の画素の１つ以上は、第１表示要素を備えており且つ第２表示要素を備えていない。第１表示要素を備えており且つ第２表示要素を備えていない画素の各々は、可視光透過性を有しており且つ構造色を表示しない輝度調整要素を、第１表示要素の前方に更に備えている。この構成を採用すると、例えば、第１方向から観察した場合に、第１表示要素を備えており且つ第２表示要素を備えていない画素が、第２表示要素を備えていないことに起因して第１及び第２表示要素の双方を備えた画素とは異なる色に見えるのを防止することができる。
【００３２】
本発明の第３側面に係る画像表示体は、第２側面に係る画像表示体について上述した構成を採用している。そして、第３側面に係る画像表示体では、輝度調整要素は、第２主面に第２レリーフ構造が設けられていないこと以外は第２表示要素と構造、材料及び寸法が等しい。この構成を採用すると、例えば、第１方向から観察した場合に、第１表示要素を備えており且つ第２表示要素を備えていない画素が、第２表示要素を備えていないことに起因して第１及び第２表示要素の双方を備えた画素とは異なる色に見えるのをより確実に防止することができる。
【００３３】
本発明の第４側面に係る画像表示体は、第１乃至第３側面の何れかについて上述した構成を採用しているのに加え、鏡面反射層を複数の画素の後方に更に具備している。この構成を採用すると、より明るい画像を表示することが可能である。
【００３４】
本発明の第５側面に係る画像表示体は、第１乃至第４側面の何れかについて上述した構成を採用しているのに加え、第１及び第２レリーフ構造の各々は回折格子又はホログラムである。それ故、第１及び第２画像は、例えば観察方向を変化させることによって色の変化を生じ得る。即ち、この構成を採用すると、より複雑な視覚効果を達成することができる。また、このような視覚効果を達成する画像表示体は、偽造が困難である。
【００３５】
本発明の第６側面に係る画像表示体は、第１乃至第５側面の何れかについて上述した構成を採用している。加えて、第６側面に係る画像表示体では、第１及び第２レリーフ構造並びにそれらの配列は、観察者が右眼で第１及び第２画像の一方を視認し且つ左眼で第１及び第２画像の他方を視認したときに立体像を知覚するように構成されている。このような視覚効果を達成する画像表示体は、偽造が困難である。
【００３６】
本発明の第７側面に係る画像表示体は、第１乃至第６側面の何れかについて上述した構成を採用しているのに加え、以下の構成を採用している。即ち、第１レリーフ構造は、上記照明条件のもとで第１方向から観察した場合に第１構造色を表示するものと、この照明条件のもとで第１方向から観察した場合に第１構造色とは異なる第２構造色を表示するものと、この照明条件のもとで第１方向から観察した場合に第１及び第２構造色とは異なる第３構造色を表示するものとを含んでいる。第２レリーフ構造は、上記照明条件のもとで第２方向から観察した場合に第４構造色を表示するものと、この照明条件のもとで第２方向から観察した場合に第４構造色とは異なる第５構造色を表示するものと、この照明条件のもとで第２方向から観察した場合に第４及び第５構造色とは異なる第６構造色を表示するものとを含んでいる。この構成を採用した画像表示体は、第１及び第２画像の各々として多色画像を表示し得る。
【００３７】
本発明の第８側面に係る画像表示体は、第１乃至第７側面の何れかについて上述した構成を採用しているのに加え、前記第１及び第２画像の少なくとも一方は個人情報を含んでいる。この画像表示体が表示する個人情報の改竄は極めて困難である。
【００３８】
本発明の第９側面に係る画像表示体は、第１及び第２レリーフ構造を含んでいる。この画像表示体は、特定の照明条件のもとで第１方向から観察した場合に、第１及び第２表示要素のうち第１表示要素のみを備えた画素に対応した領域と、第１及び第２表示要素のうち第２表示要素のみを備えた画素に対応した領域と、第１及び第２表示要素の双方を備えた画素に対応した領域とで色相が異なる構造色の画像を表示する。この画像は、照明方向及び観察方向に応じて色変化を生じる。即ち、この画像表示体は、複雑な視覚効果を示す。
【００３９】
また、同一平面に第１及び第２レリーフ構造を設ける場合、加法混色を利用した多色表示を行うためには、各画素を、第１レリーフ構造用のサブ画素と、第２レリーフ構造用のサブ画素とに分割しなければならない。この場合、高い解像度を達成するには、第１及び第２サブ画素を著しく小さくしなければならない。そのような画像表示体は、特に、オンデマンドで画像を記録するプロセスでの製造が難しい。それ故、高解像度を達成することが困難である。
【００４０】
これに対し、第９側面に係る画像表示体では、第１レリーフ構造を含んだ第１表示要素の前方に、第２レリーフ構造を含んだ第２表示要素を配置している。この構成を採用した場合、第１及び第２サブ画素を交互に並ぶように配置する必要がない。従って、上述した問題を生じず、比較的容易に高解像度を達成することができる。即ち、高い画質で画像を表示することができる。
【００４１】
更に、第９側面に係る画像表示体では、第１及び第２表示要素の双方を可視光透過性としている。それ故、例えば、第１及び第２表示要素に、同一の積層構造を採用することや、同一の材料を使用することが可能である。従って、第１レリーフ構造に表示させる構造色の明るさと、第２レリーフ構造に表示させる構造色の明るさとの比を、例えば、第１レリーフ構造が設けられている領域の面積と第２レリーフ構造が設けられている領域の面積との比に基づいて制御することができる。即ち、この画像表示体は、画像の明るさの制御が容易である。
【００４２】
本発明の第１０側面に係る画像表示体は、第９側面について上述した構成を採用しているのに加え、前記画像の少なくとも一方は個人情報を含んでいる。この画像表示体が表示する個人情報の改竄は極めて困難である。
【００４３】
本発明の第１１側面に係る画像表示体は、第８又は第１０側面について上述した構成を採用しているのに加え、個人情報は顔画像を含んでいる。顔画像は、生体情報として一般的であり、目視による個人認証に適している。
【００４４】
本発明の第１２側面に係る転写箔は、第１乃至第１１側面の何れかに係る画像表示体と、画像表示体をその前面側で剥離可能に支持した支持体とを具備している。このような転写箔の画像表示体をその支持体から基材上へと転写した場合、基材上に第１及び第２レリーフ構造の各々を直接形成した場合と比較して、基材の表面の凹凸が画質に及ぼす影響を小さくすることができる。
【００４５】
本発明の第１３側面に係るラベル付き物品は、第１乃至第１１側面の何れかに係る画像表示体と、画像表示体を支持した基材とを具備している。このラベル付き物品は、複雑な視覚効果を示す画像を高い画質で表示するのに加え、偽造が困難である。
【００４６】
本発明の第１４側面に係るラベル付き物品は、個人認証に使用される第１３側面に係るラベル付き物品である。このラベル付き物品は、複雑な視覚効果を示す画像を高い画質で表示するのに加え、改竄が困難である。
【図面の簡単な説明】
【００４７】
【図１】本発明の一態様に係るラベル付き物品を概略的に示す平面図。
【図２】図１に示すラベル付き物品に採用可能な構造の一例を拡大して示す平面図。
【図３】図２に示す構造のＩＩＩ−ＩＩＩ線に沿った断面図。
【図４】図２及び図３に示すラベル付き物品の画像表示体が含んでいる回折構造を概略的に示す平面図。
【図５】図２及び図３に示すラベル付き物品の画像表示体が含んでいる他の回折構造を概略的に示す平面図。
【図６】図２及び図３に示す構造を採用したラベル付き物品の製造において、第１表示要素の形成に利用可能な転写箔の一例を概略的に示す断面図。
【図７】図２及び図３に示す構造を採用したラベル付き物品の製造において、第２表示要素の形成に利用可能な転写箔の一例を概略的に示す断面図。
【図８】図１に示すラベル付き物品に採用可能な構造の他の例を拡大して示す平面図。
【図９】図８に示す構造のＩＸ−ＩＸ線に沿った断面図。
【図１０】図８及び図９に示す構造を採用したラベル付き物品の製造に利用可能な二次転写箔の一例を概略的に示す断面図。
【図１１】図１に示すラベル付き物品に採用可能な構造の更に他の例を拡大して示す平面図。
【図１２】図１１に示す構造のＸＩＩ−ＸＩＩ線に沿った断面図。
【発明を実施するための形態】
【００４８】
以下、本発明の態様について、図面を参照しながら詳細に説明する。なお、同様又は類似した機能を発揮する構成要素には全ての図面を通じて同一の参照符号を付し、重複する説明は省略する。
【００４９】
図１は、本発明の一態様に係るラベル付き物品を概略的に示す平面図である。  
図１に示すラベル付き物品１００は、パスポートなどの冊子体である。図１には、開いた状態の冊子体を描いている。
【００５０】
このラベル付き物品１００は、折り丁１と表紙２とを含んでいる。  
折り丁１は、１枚以上の紙片１１からなる。典型的には、紙片１１上には、文字列及び地紋などの印刷パターン１２が設けられている。折り丁１は、１枚の紙片１１を又は複数枚の紙片１１の束を二つ折りにすることによって形成されている。紙片１１は、個人情報が記録されるＩＣ（integrated circuit）チップや、このＩＣチップとの非接触での通信を可能とするアンテナなどを内蔵していてもよい。
【００５１】
表紙２は、二つ折りされている。表紙２と折り丁１とは、冊子体を閉じた状態で折り丁１が表紙２によって挟まれるように重ね合わされており、それらの折り目の位置で綴じ合わせなどによって一体化されている。
【００５２】
表紙２は、個人情報を含んだ画像を表示する。この個人情報は、個人の認証に利用する個人認証情報を含んでいる。この個人情報は、例えば、生体情報と非生体個人情報とに分類することができる。
【００５３】
生体情報は、生体の特徴のうち、その個体に特有なものである。典型的には、生体情報は、光学的手法によって識別可能な特徴である。例えば、生体情報は、顔、指紋、静脈及び虹彩の少なくとも１つの画像又はパターンである。
【００５４】
非生体個人情報は、生体情報以外の個人情報である。例えば、非生体個人情報は、氏名、生年月日、年齢、血液型、性別、国籍、住所、本籍地、電話番号、所属及び身分の少なくとも１つである。非生体個人情報は、タイプ打ちによって入力された文字を含んでいてもよく、署名などの手書きを機械読み取りすることによって入力された文字を含んでいてもよく、それらの双方を含んでいてもよい。
【００５５】
図１において、表紙２は、画像Ｉ１ａ、Ｉ１ｂ、Ｉ２及びＩ３を表示している。  
画像Ｉ１ａ、Ｉ２及びＩ３は、光の吸収を利用して表示される画像である。具体的には、画像Ｉ１ａ、Ｉ２及びＩ３は、白色光で照明し、肉眼で観察した場合に視認可能な画像である。画像Ｉ１ａ、Ｉ２及びＩ３の１つ以上を省略してもよい。
【００５６】
画像Ｉ１ａ、Ｉ２及びＩ３は、例えば、染料及び顔料で構成することができる。この場合、画像Ｉ１ａ、Ｉ２及びＩ３の形成には、サーマルヘッドを用いた熱転写記録法、インクジェット記録法、電子写真法、又はそれらの２つ以上の組み合わせを利用することができる。或いは、画像Ｉ１ａ、Ｉ２及びＩ３は、感熱発色剤を含んだ層を形成し、この層にレーザビームで描画することにより形成することができる。或いは、これら方法の組み合わせを利用することができる。画像Ｉ２及びＩ３の少なくとも一部は、ホットスタンプを用いた熱転写記録法によって形成してもよく、印刷法によって形成してもよく、それらの組み合わせを利用して形成してもよい。
【００５７】
画像Ｉ１ｂは、例えば、回折格子及びホログラムなどの回折構造が表示する画像である。画像Ｉ１ｂは、後で詳述するように、例えば、サーマルヘッドを用いた熱転写記録と、ホットスタンプ又は熱ロールを用いた熱転写記録とをこの順に行うことにより形成する。
【００５８】
画像Ｉ１ａ及びＩ１ｂは、同一人物の顔画像を含んでいる。画像Ｉ１ａが含んでいる顔画像と、画像Ｉ１ｂが含んでいる顔画像とは、同一であってもよく、異なっていてもよい。画像Ｉ１ａが含んでいる顔画像と、画像Ｉ１ｂが含んでいる顔画像とは、寸法が等しくてもよく、異なっていてもよい。また、画像Ｉ１ａ及びＩ１ｂの各々は、顔画像の代わりに他の生体情報を含んでいてもよく、顔画像に加えて顔画像以外の生体情報を更に含んでいてもよい。
【００５９】
画像１１ｂは、生体情報の代わりに非生体個人情報を含んでいてもよく、生体情報に加えて非生体個人情報を更に含んでいてもよい。また、画像１１ｂは、個人情報の代わりに非個人情報を含んでいてもよく、個人情報に加えて非個人情報を更に含んでいてもよい。
【００６０】
画像Ｉ２は、非生体個人情報と非個人情報とを含んでいる。画像Ｉ２は、例えば、文字、記号、符号及び標章の１つ以上を構成している。
【００６１】
画像Ｉ３は、地紋である。例えば、画像Ｉ３と画像１１ａ及び１１ｂの少なくとも一方とを組み合わせると、ラベル付き物品１００の改竄をより困難にすることができる。
【００６２】
次に、表紙２の構造について、図２乃至図５を参照しながら説明する。  
図２は、図１に示すラベル付き物品に採用可能な構造の一例を拡大して示す平面図である。図３は、図２に示す構造のＩＩＩ−ＩＩＩ線に沿った断面図である。図４は、図２及び図３に示すラベル付き物品の画像表示体が含んでいる回折構造を概略的に示す平面図である。図５は、図２及び図３に示すラベル付き物品の画像表示体が含んでいる他の回折構造を概略的に示す平面図である。
【００６３】
なお、Ｘ方向は画像表示体の表示面に平行な方向であり、Ｙ方向は画像表示体の表示面に平行な方向であり且つＸ方向に対して垂直な方向であり、Ｚ方向はＸ及びＹ方向に対して垂直な方向である。また、図２及び図３に示す構造は、表紙２のうち画像Ｉ１ｂに対応した部分である。
【００６４】
表紙２は、図３に示すように、表紙本体２１と画像表示体２２とを含んでいる。  
表紙本体２１は、ラベル付き物品１００の基材であって、典型的には紙片である。表紙本体２１は、単層構造を有していてもよく、多層構造を有していてもよい。表紙本体２１は、ラベル付き物品１００を閉じた状態において、折り丁１を挟み込むように二つ折りされている。
【００６５】
画像表示体２２は、多層構造を有している層である。画像表示体２２は、ラベル付き物品１００を閉じた状態において折り丁１と向き合う表紙本体２１の主面に貼り付けられている。
【００６６】
画像表示体２２は、画像Ｉ１ａ、Ｉ２及びＩ３の少なくとも一部を表示する画像表示層（図示せず）を含んでいる。この画像表示層が表示する画像は、典型的には画像Ｉ１ａを含んでいる。
【００６７】
この画像表示層は、光の吸収を利用して画像Ｉ１ａ、Ｉ２及びＩ３の少なくとも一部を表示する。この画像表示層は、画像Ｉ１ａ、Ｉ２及びＩ３の少なくとも一部に対応したパターン形状を有している。この画像表示層は、染料及び顔料の少なくとも一方と任意の樹脂とで構成することができる。このような画像表示層は、例えば、サーマルヘッドを用いた熱転写記録法、インクジェット記録法、電子写真法、又はそれらの２つ以上の組み合わせを利用することにより得ることができる。また、この画像表示層の少なくとも一部は、ホットスタンプを用いた熱転写記録法によって形成してもよく、印刷法によって形成してもよく、それらの組み合わせを利用して形成してもよい。
【００６８】
この画像表示層は、パターニングされていなくてもよい。即ち、この画像表示層は、連続膜であってもよい。この場合、画像表示層は、例えば、感熱発色剤を含んだ層を形成し、この層にレーザビームで描画することにより得ることができる。
【００６９】
この画像表示層は、省略することができる。例えば、この画像表示層は、画像表示体２２の構成要素とせずに、表紙本体２１上に設けてもよい。
【００７０】
画像表示体２２は、図３に示すように、第１表示要素２２０ａと第２表示要素２２０ｂと樹脂層２２５と保護層２２７とを更に含んでいる。なお、図２において、破線は、二次元的に配列した複数の画素の境界を表している。
【００７１】
第１表示要素２２０ａは、画素の一部に対応して配列している。即ち、少なくとも１つの画素は、表示要素２２０ａを含んでいる。ここでは、一例として、複数の画素が表示要素２２０ａを含んでいること、即ち、表示要素２２０ａの配列はパターンを形成していることとする。
【００７２】
表示要素２２０ａは、可視光透過性を有している。また、表示要素２２０ａの配列は、特定の照明条件のもとで第１方向から観察した場合に、第１画像を構造色の像、ここでは回折像として表示する。そして、表示要素２２０ａの配列は、先の照明条件のもとで第１方向とは異なる第２方向から観察した場合に、第１画像を回折像として表示しないか、又は、第１画像を第１方向から観察した場合と比較してより暗い回折像として表示する。ここでは、表示要素２２０ａの配列が回折像として表示する第１画像は、画像Ｉ１ｂの右眼用視差画像であるとする。
【００７３】
表示要素２２０ａは、第１光透過層２２３ａと第１反射層２２４ａと第１樹脂層２２５ａと第１保護層２２７ａとを含んでいる。
【００７４】
光透過層２２３ａは、光透過性、具体的には可視光透過性を有しており、典型的には透明層である。光透過層２２３ａの一方の主面には、第１レリーフ構造として回折構造が設けられている。この回折構造は、例えば回折格子及び／又はホログラムであり、図４に示すように、光透過層２２３ａの一方の主面に設けられた複数の溝Ｇａからなる。溝Ｇａは、同一の形状を有しており、一定のピッチで互いに平行に配列している。溝Ｇａの長さ方向は、Ｘ方向に対して反時計回りに傾いている。なお、図４に示す例では、溝Ｇａは円弧状に湾曲しているが、溝Ｇａは湾曲していなくてもよい。
【００７５】
光透過層２２３ａの材料としては、例えば、ポリウレタン樹脂、ポリカーボネート樹脂、ポリスチレン樹脂及びポリ塩化ビニル樹脂などの熱可塑性樹脂、不飽和ポリエステル樹脂、メラミン樹脂、エポキシ樹脂、ウレタンアクリレート、ウレタンメタクリレート、ポリオールアクリレート、ポリオールメタクリレート、メラミンアクリレート、メラミンメタクリレート、トリアジンアクリレート及びトリアジンメタアクリレートなどの熱硬化性樹脂、これらの混合物、又はラジカル重合性不飽和基を有する熱成形性材料を使用することができる。光透過層２２３ａは、光硬化性を有している樹脂を使用して形成してもよい。なお、このような透明樹脂を用いて得られる光透過層２２３ａは、典型的には、波長が５５０ｎｍの光に対する屈折率が１．３乃至１．７の範囲内にある。
【００７６】
反射層２２４ａは、表紙本体２１と光透過層２２３ａとの間に介在している。反射層２２４ａは、光透過層２２３ａ上に形成されている。反射層２２４ａは、光透過層２２３ａのレリーフ構造が設けられた面の少なくとも一部を被覆している。
【００７７】
反射層２２４ａは、可視光透過性を有している。反射層２２４ａとしては、例えば、透明反射層を使用することができる。そのような反射層２２４ａは、例えば、真空蒸着やスパッタリングなどの真空成膜法によって形成することができる。反射層２２４ａが樹脂を含んでいる場合、反射層２２４ａは、塗布又は印刷を利用して形成してもよい。
【００７８】
反射層２２４ａとして透明反射層を使用すると、反射層２２４ａの背面側に絵柄及び文字等のパターンを配置した場合であっても、これを画像表示体２２の前面側から視認することができる。
【００７９】
透明反射層は、単層構造を有していてもよく、多層構造を有していてもよい。後者の場合、透明反射層は、繰り返し反射干渉を生じるように設計されていてもよい。透明反射層の材料としては、例えば、硫化亜鉛及び二酸化チタンなどの透明誘電体を使用することができる。
【００８０】
透明誘電体からなる単層構造の透明反射層は、光透過層２２３ａとは屈折率が異なっている。典型的には、透明誘電体からなる単層構造の透明反射層は、光透過層２２３ａと比較して、波長が５５０ｎｍの光に対する屈折率がより大きい。
【００８１】
透明誘電体からなる多層構造の透明反射層は、その光透過層２２３ａと接触している部分が、光透過層２２３ａとは異なる屈折率を有している。透明誘電体からなる多層構造の透明反射層は、典型的には、光透過層２２３ａに最も近い層の上述した波長の光に対する屈折率が、光透過層２２３ａのこの波長の光に対する屈折率と比較してより大きい。
【００８２】
透明反射層として金属層を使用してもよい。金属層の材料としては、例えば、アルミニウム、錫、銅、銀、金、鉄、クロム、チタン、ニッケル及び銅などの単体金属又はそれらの合金を使用することができる。金属層は、厚い場合には遮光性であるが、薄くすると透明になる。一般に、厚さが２０ｎｍ未満の金属層は透明である。また、厚さが２０乃至４０ｎｍの範囲内にあるアルミニウム層の場合、或る観察条件のもとでは金属光沢を観察できるが、観察角度を変更するとその背景が透けて見える。
【００８３】
透明反射層として、より厚い金属層を使用することも可能である。例えば、比較的厚い金属層を形成し、これに肉眼での識別が困難な径又は幅の開口を多数設ける。例えば、この金属層を、網点又は万線状にパターニングする。これにより、金属材料からなる透明反射層を得ることができる。
【００８４】
透明反射層として、透明樹脂とこの中で分散した粒子とを含んだ層を使用してもよい。この粒子としては、例えば、単体金属及び合金などの金属材料からなる粒子、又は、透明金属酸化物及び透明樹脂などの透明誘電体からなる粒子を使用することができる。透明樹脂中には、粒子を分散させる代わりに、薄片を分散させてもよい。
【００８５】
樹脂層２２５ａは、表紙本体２１と反射層２２４ａとの間に介在している。樹脂層２２５ａは、表示要素２２０ａを表紙本体２１に接着する役割を果たしている。樹脂層２２５ａは、省略することができる。
【００８６】
樹脂層２２５ａは、例えば熱可塑性樹脂からなる。樹脂層２２５ａの材料としては、例えば、ウレタン樹脂、ブチラール樹脂、ポリエステル樹脂、ポリ塩化ビニル及び塩化ビニル−酢酸ビニル共重合体などの塩化ビニル系樹脂、ポリウレタン樹脂、エポキシ樹脂、塩素化ポリプロピレン、アクリル樹脂、ポリスチレン、ポリビニルベンゼン、スチレン−ブタジエン共重合樹脂、スチレンとメタクリル酸アルキル（但し、アルキル基の炭素数は２乃至６）とから得られるポリビニル樹脂などのビニル樹脂、ゴム系材料、又は、これらの２種以上を含んだ混合物を使用することができる。
【００８７】
樹脂層２２５ａには、ワックス、ステアリン酸などの高級脂肪酸、その金属塩及びエステル、可塑剤、ポリテトラフルオロエチレン、ポリエチレン、シリコーン樹脂及びポリアクリロニトリルなどの有機材料からなる有機フィラー、並びにシリカからなどの無機材料からなる無機フィラーの１つ以上を添加してもよい。
【００８８】
保護層２２７ａは、光透過層２２３ａのレリーフ構造が設けられた面の裏面を被覆している。保護層２２７ａは、省略することができる。
【００８９】
保護層２２７ａは、例えば、熱可塑性樹脂、熱硬化性樹脂、及び紫外線又は電子線硬化樹脂などの樹脂からなる。転写箔を利用して表示要素２２０ａのパターンを形成する場合は、柔軟性及び箔切れ性の観点で熱可塑性樹脂を使用することが好ましい。
【００９０】
この熱可塑性樹脂としては、例えば、ポリアクリル酸エステル樹脂、塩化ゴム系樹脂、塩化ビニル−酢酸ビニル共重合樹脂、セルロース系樹脂、塩素化ポリプロピレン系樹脂、エポキシ樹脂、ポリエステル樹脂、ニトロセルロース系樹脂、スリレンアクリレート系樹脂、ポリエーテル系樹脂、ポリカーボネート系樹脂、又はそれらの混合物を使用することができる。箔切れ性や耐摩性を考慮して、この樹脂に、石油系ワックス及び植物系ワックスなどのワックス、ステアリン酸などの高級脂肪酸、その金属塩、エステル及びシリコーンオイルなどの滑材、ポリテトラフルオロエチレン、ポリエチレン、シリコーン樹脂及びポリアクリロニトリルなどの有機材料からなる有機フィラー、並びにシリカからなどの無機材料からなる無機フィラーの１つ以上を添加してもよい。
【００９１】
表示要素２２０ａの径又は最小中心間距離は、例えば０．０４２乃至０．５０８ｍｍ（約６００乃至約５０ ｄｏｔｓ ｐｅｒ ｉｎｃｈ）の範囲内とする。表示要素２２０ａの配列に顔画像を表示させる場合には、表示要素２２０ａの径又は最小中心間距離は、例えば０．０４２乃至０．１６９ｍｍ（約６００乃至約１５０ ｄｏｔｓ ｐｅｒ ｉｎｃｈ）の範囲内とする。この寸法を大きくすると、表示要素２２０ａの配列に高精細な画像を表示させることが難しくなる。この寸法を小さくすると、表示要素２２０ａのパターン形状の再現性が低下する。
【００９２】
第２表示要素２２０ｂは、画素の一部に対応して配列している。即ち、少なくとも１つの画素は、表示要素２２０ｂを含んでいる。ここでは、一例として、複数の画素が表示要素２２０ｂを含んでいること、即ち、表示要素２２０ｂの配列はパターンを形成していることとする。
【００９３】
また、表示要素２２０ｂを含んだ画素と、表示要素２２０ａを含んだ画素とは、部分的に重複している。ここでは、一例として、一部の画素は表示要素２２０ａを含み且つ表示要素２２０ｂを含んでおらず、他の一部の画素は表示要素２２０ｂを含み且つ表示要素２２０ａを含んでおらず、更に他の一部の画素は表示要素２２０ａ及び２２０ｂを含み、残りの画素は表示要素２２０ａ及び２２０ｂを含んでいないこととする。
【００９４】
表示要素２２０ａ及び２２０ｂを含んだ画素では、表示要素２２０ｂは、表示要素２２０ａと向き合っている。表示要素２２０ａ及び２２０ｂを含んだ画素において、表示要素２２０ａは、表示要素２２０ｂと表紙本体２１との間に介在している。
【００９５】
表示要素２２０ｂは、可視光透過性を有している。また、表示要素２２０ｂの配列は、特定の照明条件のもとで第２方向から観察した場合に、第２画像を構造色の像、ここでは回折像として表示する。そして、表示要素２２０ｂの配列は、先の照明条件のもとで第１方向から観察した場合に、第２画像を回折像として表示しないか、又は、第２画像を第２方向から観察した場合と比較してより暗い回折像として表示する。ここでは、表示要素２２０ｂの配列が回折像として表示する第２画像は、画像Ｉ１ｂの左眼用視差画像であるとする。
【００９６】
なお、右眼用の視差画像と左眼用の視差画像とは、例えば、同一の被写体を異なる位置から同時に撮影することによって得られる画像である。観察者は、右眼用の視差画像と左眼用の視差画像とをそれぞれ右眼及び左眼で観察することにより立体画像を知覚する。
【００９７】
表示要素２２０ｂは、第２光透過層２２３ｂと第２反射層２２４ｂと第２樹脂層２２５ｂと第２保護層２２７ｂとを含んでいる。
【００９８】
光透過層２２３ｂは、可視光透過性、具体的には可視光透過性を有しており、典型的には透明層である。光透過層２２３ｂの一方の主面には、第２レリーフ構造として回折構造が設けられている。表示要素２２０ａ及び２２０ｂを含んだ各画素において、光透過層２２３ｂの主面のうち第２レリーフ構造が設けられている領域は、光透過層２２３ａの主面のうち第１レリーフ構造が設けられている領域と比較して面積がより小さい。
【００９９】
光透過層２２３ｂの一方の主面に設けられている回折構造は、例えば回折格子及び／又はホログラムであり、図５に示すように、光透過層２２３ｂの一方の主面に設けられた複数の溝Ｇｂからなる。溝Ｇｂは、同一の形状を有しており、一定のピッチで互いに平行に配列している。溝Ｇｂの長さ方向は、Ｘ方向に対して時計回りに傾いている。なお、図５に示す例では、溝Ｇｂは円弧状に湾曲しているが、溝Ｇｂは湾曲していなくてもよい。光透過層２２３ａの材料としては、例えば、光透過層２２３ａについて上述したものを使用することができる。
【０１００】
反射層２２４ｂは、表紙本体２１と光透過層２２３ｂとの間に介在している。反射層２２４ｂは、光透過層２２３ｂ上に形成されている。反射層２２４ｂは、光透過層２２３ｂのレリーフ構造が設けられた面の少なくとも一部を被覆している。
【０１０１】
反射層２２４ｂは、可視光透過性を有している。反射層２２４ｂとしては、例えば、反射層２２４ａについて上述した透明反射層を使用することができる。
【０１０２】
樹脂層２２５ｂは、表紙本体２１と反射層２２４ｂとの間に介在している。樹脂層２２５ｂの材料としては、例えば、樹脂層２２５ａについて上述したものを使用することができる。樹脂層２２５ｂは、省略することができる。
【０１０３】
保護層２２７ｂは、光透過層２２３ｂのレリーフ構造が設けられた面の裏面を被覆している。保護層２２７ｂの材料としては、例えば、保護層２２７ａについて上述したものを使用することができる。保護層２２７ｂは、省略することができる。
【０１０４】
樹脂層２２５は、表紙本体２１と表示要素２２０ａ及び２２０ｂとを被覆している。樹脂層２２５は、可視光透過性を有しており、典型的には透明である。樹脂層２２５は、例えば熱可塑性樹脂からなる。樹脂層２２５は、省略することができる。
【０１０５】
保護層２２７は、樹脂層２２５上に設けられている。保護層２２７は、可視光透過性を有しており、典型的には透明である。保護層２２７は、例えばアクリル、ポリエチレン、ポリエステル等の樹脂からなる。保護層２２７は、省略することができる。
【０１０６】
表示要素２２０ｂの径又は最小中心間距離は、例えば０．０４２乃至０．５０８ｍｍ（約６００乃至約５０ ｄｏｔｓ ｐｅｒ ｉｎｃｈ）の範囲内とする。表示要素２２０ｂの配列に顔画像を表示させる場合には、表示要素２２０ｂの径又は最小中心間距離は、例えば０．０４２乃至０．１６９ｍｍ（約６００乃至約１５０ ｄｏｔｓ ｐｅｒ ｉｎｃｈ）の範囲内とする。この寸法を大きくすると、表示要素２２０ｂの配列に高精細な画像を表示させることが難しくなる。この寸法を小さくすると、表示要素２２０ｂのパターン形状の再現性が低下する。
【０１０７】
この画像表示体２２は、上述したように、回折光を利用して、画像Ｉ１ｂとして立体画像を表示する。即ち、この画像表示体２２は、複雑な視覚効果を示す。
【０１０８】
また、同一平面に第１及び第２レリーフ構造を設ける場合、同一領域に第１及び第２画像の双方を表示させるためには、各画素を、第１レリーフ構造用のサブ画素と、第２レリーフ構造用のサブ画素とに分割しなければならない。この場合、高い解像度を達成するには、第１及び第２サブ画素を著しく小さくしなければならない。そのような画像表示体は、特に、オンデマンドで画像を記録するプロセスでの製造が難しい。それ故、高解像度を達成することが困難である。
【０１０９】
これに対し、上述した画像表示体２２では、表示要素２２０ａ及び２２０ｂの双方を含んだ画素において、第１及び第２レリーフ構造が向き合うように表示要素２２０ａ及び２２０ｂを配置している。この構成を採用した場合、第１及び第２サブ画素を交互に並ぶように配置する必要がない。従って、上述した問題を生じず、比較的容易に高解像度を達成することができる。即ち、高い画質で画像を表示することができる。
【０１１０】
更に、この画像表示体２２において、表示要素２２０ａ及び２２０ｂの双方を含んだ画素では、表示要素２２０ｂは、表示要素２２０ａの前面側に位置している。それ故、このような画素において、第１レリーフ構造が設けられた領域の面積Ｓ１と第２レリーフ構造が設けられた領域の面積Ｓ２とを等しくすると、表示要素２２０ｂによる光吸収等に起因して、第１画像は第２画像と比較してより暗く表示されることがある。
【０１１１】
この画像表示体２２において、表示要素２２０ａ及び２２０ｂの双方を含んだ画素では、第２レリーフ構造が設けられた領域の面積Ｓ２は、第１レリーフ構造が設けられた領域の面積Ｓ１と比較してより小さい。面積Ｓ２と面積Ｓ１との比Ｓ２／Ｓ１は、例えば０．５乃至０．９の範囲内にあり、典型的には０．７乃至０．８の範囲内にある。この比Ｓ２／Ｓ１を適宜設定することにより、第１及び第２画像の明るさを制御すること、例えば、表示要素２２０ａ及び２２０ｂにほぼ同じ明るさの視差画像を表示させることが可能となる。
【０１１２】
即ち、この画像表示体２２は、複雑な視覚効果を示す画像を高い画質で表示することが可能である。
【０１１３】
また、この画像表示体２２は、構造色の画像Ｉ１ｂを表示する。このような画像表示体２２は、偽造が困難であり、記録された情報の改竄も困難である。
【０１１４】
従って、この画像表示体２２を含んだラベル付き物品１００は、複雑な視覚効果を示す画像を高い画質で表示するのに加え、偽造及び情報の改竄が困難である。
【０１１５】
次に、図６及び図７を参照しながら、ラベル付き物品１００の製造方法を説明する。  
図６は、図２及び図３に示す構造を採用したラベル付き物品の製造において、第１表示要素の形成に利用可能な転写箔の一例を概略的に示す断面図である。
【０１１６】
図６に示す転写箔２０１ａは、例えば転写リボンである。転写箔２０１ａは、支持体２２６ａと、支持体２２６ａによって剥離可能に支持された転写材層２２０ａ’とを含んでいる。
【０１１７】
支持体２２６ａは、例えば樹脂フィルム又はシートである。支持体２２６ａは、例えば、ポリエチレンテレフタレートなどの耐熱性に優れた材料からなる。支持体２２６ａの転写材層２２０ａ’を支持している主面には、例えばフッ素樹脂又はシリコーン樹脂を含んだ離型層が設けられていてもよい。
【０１１８】
転写材層２２０ａ’は、剥離保護層２２７ａ’と光透過層２２３ａ’と反射層２２４ａ’と樹脂層２２５ａ’とを含んでいる。
【０１１９】
剥離保護層２２７ａ’は、転写材層２２０ａ’の支持体２２６ａからの剥離を安定化すると共に、表示要素２２０ａの光透過層２２３ａ及び反射層２２４ａを損傷から保護する役割を果たす。剥離保護層２２７ａ’の一部又は全部は、図３に示す保護層２２７ａとして使用する。樹脂層２２５ａ’が剥離層の機能を有している場合は、剥離保護層２２７ａ’は省略することができる。
【０１２０】
光透過層２２３ａ’は、剥離保護層２２７ａ’上に形成されている。光透過層２２３ａ’の表面には、第１レリーフ構造として利用するレリーフ構造が設けられている。光透過層２２３ａ’の一部又は全部は、図３に示す光透過層２２３ａとして使用する。
【０１２１】
反射層２２４ａ’は、光透過層２２３ａ’上に形成されている。光透過層２２３ａ’は、反射層２２４ａ’の光透過層２２３ａ’側の主面にレリーフ構造を形成している。反射層２２４ａ’の一部又は全部は、図３に示す反射層２２４ａとして使用する。
【０１２２】
樹脂層２２５ａ’は、反射層２２４ａ’上に設けられている。樹脂層２２５ａ’は、接着剤としての役割を果たす。樹脂層２２５ａ’の一部又は全部は、図３に示す樹脂層２２５ａとして使用する。樹脂層２２５ａ’は省略することができる。
【０１２３】
図７は、図２及び図３に示す構造を採用したラベル付き物品の製造において、第２表示要素の形成に利用可能な転写箔の一例を概略的に示す断面図である。
【０１２４】
図７に示す転写箔２０１ｂは、例えば転写リボンである。転写箔２０１ｂは、支持体２２６ｂと、支持体２２６ｂによって剥離可能に支持された転写材層２２０ｂ’とを含んでいる。
【０１２５】
支持体２２６ｂは、例えば樹脂フィルム又はシートである。支持体２２６ｂは、例えば、ポリエチレンテレフタレートなどの耐熱性に優れた材料からなる。支持体２２６ｂの転写材層２２０ｂ’を支持している主面には、例えばフッ素樹脂又はシリコーン樹脂を含んだ離型層が設けられていてもよい。
【０１２６】
転写材層２２０ｂ’は、剥離保護層２２７ｂ’と光透過層２２３ｂ’と反射層２２４ｂ’と樹脂層２２５ｂ’とを含んでいる。
【０１２７】
剥離保護層２２７ｂ’は、転写材層２２０ｂ’の支持体２２６ｂからの剥離を安定化すると共に、表示要素２２０ｂの光透過層２２３ｂ及び反射層２２４ｂを損傷から保護する役割を果たす。典型的には、剥離保護層２２７ｂ’の一部を、図３に示す保護層２２７ｂとして使用する。樹脂層２２５ｂ’が剥離層の機能を有している場合は、剥離保護層２２７ｂ’は省略することができる。
【０１２８】
光透過層２２３ｂ’は、剥離保護層２２７ｂ’上に形成されている。光透過層２２３ｂ’の表面には、第１レリーフ構造として利用するレリーフ構造が設けられている。典型的には、光透過層２２３ｂ’の一部を、図３に示す光透過層２２３ｂとして使用する。
【０１２９】
反射層２２４ｂ’は、光透過層２２３ｂ’上に形成されている。光透過層２２３ｂ’は、反射層２２４ｂ’の光透過層２２３ｂ’側の主面にレリーフ構造を形成している。典型的には、反射層２２４ｂ’の一部を、図３に示す反射層２２４ｂとして使用する。
【０１３０】
樹脂層２２５ｂ’は、反射層２２４ｂ’上に設けられている。樹脂層２２５ｂ’は、接着剤としての役割を果たす。典型的には、樹脂層２２５ｂ’の一部を、図３に示す樹脂層２２５ｂとして使用する。樹脂層２２５ｂ’は省略することができる。
【０１３１】
転写箔２０１ａ及び２０１ｂを用いたラベル付き物品１００の製造は、例えば、以下の方法により行う。
【０１３２】
まず、画像表示体２２を省略したこと以外は図１乃至図３を参照しながら説明したラベル付き物品１００と同様の冊子体を準備する。
【０１３３】
次に、この冊子体の表紙本体２１上に、画像Ｉ１ａ、Ｉ２及びＩ３を表示する画像表示層を形成する。
【０１３４】
次いで、サーマルヘッドを利用した熱転写によって、転写箔２０１ａの支持体２２６ａから、転写材層２２０ａ’の一部を、この冊子体の表紙本体２１上へと転写して、表示要素２２０ａからなる配列を形成する。続いて、サーマルヘッドを利用した熱転写によって、転写箔２０１ｂの支持体２２６ｂから、転写材層２２０ｂ’の一部を、この冊子体の表紙本体２１上へと転写して、表示要素２２０ｂからなる配列を形成する。
【０１３５】
その後、光透過層２２が表示要素２２０ａ及び２２０ｂを被覆するように、光透過層２２５を間に挟んで、表紙本体２１と保護層２２７とを貼り合せる。
【０１３６】
以上のようにして、図１乃至図５を参照しながら説明したラベル付き物品１００を完成する。
【０１３７】
なお、ここでは、画像Ｉ１ａ、Ｉ２及びＩ３を表示する画像表示層を形成した後に、転写箔２０１ａ及び２０１ｂを用いた転写を行っているが、これら転写は、画像Ｉ１ａ、Ｉ２及びＩ３を表示する画像表示層を形成する前に行ってもよい。また、ここでは、画像Ｉ１ａ、Ｉ２及びＩ３を表示する画像表示層を冊子体の表紙本体２１上に形成しているが、この画像表示層は、保護層２２７の光透過層２２５側の面に形成してもよい。
【０１３８】
上述した画像表示体２２及びラベル付き物品１００には、様々な変形が可能である。  
図８は、図１に示すラベル付き物品に採用可能な構造の他の例を拡大して示す平面図である。図９は、図８に示す構造のＩＸ−ＩＸ線に沿った断面図である。
【０１３９】
図８及び図９に示す構造は、以下の点を除き、図２及び図３を参照しながら説明した構造と同様である。
【０１４０】
即ち、図８及び図９に示す構造は、図２及び図３に示す構造とは、表示要素２２０ａ及び２２０ｂの各々が上下逆向きである。また、図８及び図９に示す構造では、表示要素２２０ａ及び２２０ｂは、等しい寸法を有している。そして、第１レリーフ構造は、図８及び図９に示す構造並びに図２及び図３に示す構造の何れにおいても、Ｚ方向から見たときに、表示要素２２０ａの全体に亘って広がっている。他方、第２レリーフ構造は、図２及び図３に示す構造では、Ｚ方向から見たときに、表示要素２２０ｂの全体に亘って広がっているのに対し、図８及び図９に示す構造では、Ｚ方向から見たときに、表示要素２２０ｂの一部にのみ広がっている。
【０１４１】
また、図８及び図９に示す構造は、樹脂層２２５の代わりに樹脂層２２５１及び２２５２を含んでいる。樹脂層２２５１及び２２５２の材料としては、例えば、樹脂層２２５について上述したものを使用することができる。樹脂層２２５１の材料と樹脂層２２５２の材料とは、同一であってもよく、異なっていてもよい。
【０１４２】
図８及び図９に示す構造は、樹脂層２２５１及び２２５２間に、鏡面反射層２２４を更に含んでいる。鏡面反射層２２４は、例えば、単体金属又は合金からなる。鏡面反射層２２４は、反射層２２４ａ及び２２４ｂと比較して可視光反射率がより高い。典型的には、鏡面反射層２２４は遮光性である。鏡面反射層２２４の材料としては、例えば、アルミニウム、錫、銅、銀、金、鉄、クロム、チタン、ニッケル及び銅などの単体金属又はそれらの合金を使用することができる。
【０１４３】
また、図８及び図９に示す構造は、輝度調整要素２２０ｃを更に含んでいる。輝度調整要素２２０ｃは、表示要素２２０ａを含み且つ表示要素２２０ｂを含んでいない各画素において、表示要素２２０ａを間に挟んで鏡面反射層２２４と向き合うように配置されている。
【０１４４】
輝度調整要素２２０ｃは、可視光透過性を有しており且つ構造色を表示しない。典型的には、輝度調整要素２２０ｃは、表示要素２２０ｂと、可視光透過率がほぼ等しい。例えば、表示要素２２０ｂの構造色を観察できない条件のもとでは、輝度調整要素２２０ｃは、表示要素２２０ｂとほぼ同じ色に見える。
【０１４５】
輝度調整要素２２０ｃは、様々な構造を有し得る。図８及び図９に示す例では、輝度調整要素２２０ｃは、レリーフ構造が設けられていないこと以外は表示要素２２０ｂと同様の構造を有している。
【０１４６】
即ち、輝度調整層２２０ｃは、光透過層２２３ｃと反射層２２４ｃと樹脂層２２５ｃと保護層２２７ｃとを含んでいる。
【０１４７】
光透過層２２３ｃは、構造色を呈するレリーフ構造が設けられていないこと以外は光透過層２２３ｂと同様である。典型的には、光透過層２２３ｃの両主面は平坦である。
【０１４８】
反射層２２４ｃは、光透過層２２３ｃの一方の主面上に形成されている。ここでは、反射層２２４ｃは、光透過層２２３ｃを間に挟んで表示要素２２０ａと向き合っている。反射層２２４ｃは、光透過層２２３ｃに由来するレリーフ構造が設けられていないこと以外は、反射層２２４ｂとほぼ同様である。典型的には、反射層２２４ｃの厚さは、その透過率が反射層２２４ｂの透過率とほぼ等しくなるように設定する。
【０１４９】
樹脂層２２５ｃは、反射層２２４ｃ上に設けられている。樹脂層２２５ｃは、反射層２２４ｃと保護層２２７との間に介在している。樹脂層２２５ｃは、樹脂層２２５ｂとほぼ同様である。
【０１５０】
保護層２２７ｃは、光透過層２２３ｃを間に挟んで反射層２２４ｃと向き合っている。保護層２２７ｃは、保護層２２７ｂとほぼ同様である。
【０１５１】
輝度調整層２２０ｃを省略した場合、表示要素２２０ａの配列が表示する構造色の画像は、表示要素２２０ｂによる光の反射及び吸収等に起因して、表示要素２２０ｂの配列に対応した輝度のばらつきを生じ得る。これに対し、図８及び図９に示す構造を採用すると、そのような輝度のばらつきを抑制することができる。
【０１５２】
また、図８及び図９に示す構造は、鏡面反射層２２４を含んでいる。それ故、鏡面反射層２２４による反射光も表示に利用することができる。即ち、構造色をより明るく表示することができる。
【０１５３】
次に、図１０を参照しながら、図８及び図９に示す構造を採用したラベル付き物品１００の製造方法を説明する。  
図１０は、図８及び図９に示す構造を採用したラベル付き物品の製造に利用可能な二次転写箔の一例を概略的に示す断面図である。
【０１５４】
この二次転写箔２０２は、例えば転写リボンである。二次転写箔２０２は、支持体２２６と、支持体２２６によって剥離可能に支持された転写材層２２’とを含んでいる。
【０１５５】
支持体２２６は、例えば樹脂フィルム又はシートである。支持体２２６は、例えば、ポリエチレンテレフタレートなどの耐熱性に優れた材料からなる。支持体２２６の転写材層２２’を支持している主面には、例えばフッ素樹脂又はシリコーン樹脂を含んだ離型層が設けられていてもよい。
【０１５６】
転写材層２２’は、剥離保護層２２７’と、表示要素２２０ａ及び２２０ｂと、輝度調整要素２２０ｃと、樹脂層２２５１’及び２２５１’と、鏡面反射層２２４’とを含んでいる。
【０１５７】
剥離保護層２２７’は、支持体２２６上に形成されている。剥離保護層２２７’は、転写材層２２’の支持体２２６からの剥離を安定化すると共に、表示要素２２０ａ及び２２０ｂを損傷から保護する役割を果たす。剥離保護層２２７’の一部又は全部を、図９に示す保護層２２７として使用する。
【０１５８】
表示要素２２０ａ及び２２０ｂ並びに輝度調整要素２２０ｃは、剥離保護層２２７’上に形成されている。表示要素２２０ａ及び２２０ｂ並びに輝度調整要素２２０ｃは、サーマルヘッドを利用した熱転写によって形成することができる。具体的には、表示要素２２０ａは、例えば、図６を参照しながら説明した転写箔２０１ａを用いて形成することができる。また、表示要素２２０ｂは、例えば、レリーフ構造を光透過層２２３ｂ’の一方の主面の全体に設ける代わりに、画素に対応して島状に設けたこと以外は、図６を参照しながら説明した転写箔２０１ｂと同様の転写箔を用いて形成することができる。そして、輝度調整要素２２０ｃは、例えば、レリーフ構造を省略したこと以外は、図６を参照しながら説明した転写箔２０１ｂと同様の転写箔を用いて形成することができる。
【０１５９】
樹脂層２２５１’は、剥離保護層２２７’上に設けられている。樹脂層２２５１’は、表示要素２２０ａ及び２２０ｂ並びに輝度調整要素２２０ｃを被覆している。樹脂層２２５１’は、転写材層２２’に十分な強度を与えるとともに、鏡面反射層２２４’に略平坦な下地を提供する。樹脂層２２５１’の一部又は全部を、図９に示す樹脂層２２５１として使用する。樹脂層２２５１’は、例えば、剥離保護層２２７’上に樹脂を塗布することにより形成する。或いは、樹脂層２２５１’は、剥離保護層２２７’上に溶融樹脂をフィルム状に押し出すことにより得る。或いは、樹脂層２２５１’は、剥離保護層２２７’上に熱可塑性樹脂層を加熱しながら圧着させることにより得る。
【０１６０】
鏡面反射層２２４’は、樹脂層２２５１’上に設けられている。鏡面反射層２２４’の一部又は全部を、図９に示す反射層２２４として使用する。鏡面反射層２２４’は、例えば、金属箔を樹脂層２２５１’に接着させることにより得る。或いは、熱可塑性樹脂層と金属箔との積層体を、熱可塑性樹脂層を間に挟んで金属箔が剥離保護層２２７’と向き合うように、それらを加熱しながら圧着させることにより、樹脂層２２５１’と鏡面反射層２２４’とを同時に得る。
【０１６１】
樹脂層２２５１’は、鏡面反射層２２４’上に設けられている。樹脂層２２５１’の一部又は全部を、図９に示す樹脂層２２５１として使用する。樹脂層２２５１’は、例えば、鏡面反射層２２４’上に樹脂を塗布することにより形成する。或いは、樹脂層２２５１’は、鏡面反射層２２４’上に溶融樹脂をフィルム状に押し出すことにより得る。或いは、樹脂層２２５１’は、鏡面反射層２２４’上に熱可塑性樹脂層を加熱しながら圧着させることにより得る。
【０１６２】
樹脂層２２５１’と鏡面反射層２２４’との間又は上に又は剥離保護層２２７’と樹脂層２２５１’との間には、図１に示す画像Ｉ１ａ、Ｉ２及びＩ３の少なくとも１つを表示する画像表示層（図示せず）を更に形成することができる。そのような画像表示層を熱転写法によって形成する場合、昇華転写方式を採用してもよく、溶融転写方式を採用してもよく、それらの双方を採用してもよい。画像Ｉ１ａ及びＩ２は、モノクロ画像であってもよく、カラー画像であってもよい。後者の場合、これら画像Ｉ１ａ及びＩ２を表示する画像表示層は、例えば、１つ以上のインクリボンを用いて、例えば、イエロー、マゼンタ、シアン及びブラックの４色の着色層を形成するか、又は、赤、緑及び青の３色の着色層を形成することにより得られる。
【０１６３】
図８及び図９に示す構造を採用したラベル付き物品１００の製造に際しては、まず、上述した二次転写箔２０２と、画像表示体２２を省略したこと以外は図１乃至図３を参照しながら説明したラベル付き物品１００と同様の冊子体とを準備する。
【０１６４】
次に、支持体２２６上に形成した転写材層２２’のうち画像表示体２２として使用する部分を、支持体２２６から図９に示す表紙本体２１上へと熱転写する。この熱転写には、例えばホットスタンプを利用する。なお、ホットスタンプを利用した熱転写の代わりに、熱ロール又はサーマルヘッドを利用した熱転写を行ってもよい。以上のようにして、表紙本体２１に画像表示体２２を貼り付ける。
【０１６５】
以上のようにして、図８及び図９に示す構造を採用したラベル付き物品１００を完成する。
【０１６６】
この方法では、サーマルヘッドを利用した熱転写によって表示要素２２０ａ及び２２０ｂを形成する。サーマルヘッドを利用した場合に達成され得る精細度は、パール顔料を印刷する場合に達成され得る精細度よりも高い。
【０１６７】
また、サーマルヘッドを利用した熱転写によって表示要素２２０ａ及び２２０ｂを表紙本体２１上に直接形成した場合、表紙本体２１の表面粗さなどに起因して、高画質を達成することは難しいことがある。これに対し、上述した方法では、表示要素２２０ａ及び２２０ｂは、表紙本体２１上に直接形成しない。即ち、この方法では、まず、剥離保護層２２７’上に形成し、その後、剥離保護層２２７’と共に表紙本体２１上へと転写する。それ故、表紙本体２１の表面粗さなどが画質に大きな影響を及ぼすことはない。
【０１６８】
従って、この方法によると、表示要素２２０ａ及び２２０ｂに、優れた画質の画像を表示させることが可能となる。
【０１６９】
また、この画像表示体２２は、個人情報の一部を、ホログラム及び／又は回折格子を用いて表示する。ホログラム及び／又は回折格子が表示する個人情報、特には生体情報の改竄は極めて困難である。
【０１７０】
そして、この方法では、画像表示体２２は、熱転写によって表紙本体２１に支持させる。そのような画像表示体２２は、表紙本体２１から剥離しようとすると、容易に破壊される。  
それ故、このラベル付き物品１００は、改竄が困難である。
【０１７１】
ここでは、表示要素２２０ａの配列に右眼用の視差画像を表示させ、表示要素２２０ｂの配列に左眼用の視差画像を表示させる構成を採用したが、表示要素２２０ａの配列に左眼用の視差画像を表示させ、表示要素２２０ｂの配列に右眼用の視差画像を表示させる構成を採用してもよい。また、ここでは、表示要素２２０ａの配列と表示要素２２０ｂの配列とを設けて２つの視差画像を表示する構成を採用したが、更に他の表示要素の配列を設けて、互いに異なる３つ以上の視差画像を表示可能としてもよい。即ち、観察角度を変化させることによって、立体画像の見え方が、被写体を実際に観察しているが如く変化する構成を採用してもよい。
【０１７２】
表示要素２２０ａの配列と表示要素２２０ｂの配列とにモノクロ画像を表示させる代わりに、それらにカラー画像を表示させてもよい。例えば、表示要素２２０ａの配列と表示要素２２０ｂの配列との各々を、表示色が赤、緑及び青色の３種の表示要素で構成してもよい。
【０１７３】
以上、パスポートとしてのラベル付き物品１００を例示したが、ラベル付き物品１００について上述した技術は、他の個人認証媒体に適用することも可能である。例えば、この技術は、査証やＩＤカードなどの各種カードに適用することも可能である。ラベル付き物品１００について上述した技術は、個人認証媒体以外の物品に適用してもよい。例えば、上述した技術は、美術品及び工芸品などの物品に適用してもよい。
【０１７４】
また、偽造防止などのセキュリティ用途の画像表示体２２及び中間転写媒体２０２を例示したが、画像表示体２２及び中間転写媒体２０２について上述した技術は、偽造防止以外の用途に適用してもよい。例えば、上述した技術は、学習教材及び玩具などの用途に適用してもよい。
【０１７５】
画像表示体２２を貼り付ける基材の材質は、紙以外であってもよい。例えば、画像表示体２２を貼り付ける基材は、プラスチック基板、金属基板、セラミックス基板、又はガラス基板であってもよい。
【０１７６】
表示要素２２０ａ及び２２０ｂに表示させる画像は、顔画像に加えて他の生体情報を含んでいてもよく、顔画像の代わりに他の生体情報を含んでいてもよい。また、表示要素２２０ａ及び２２０ｂに表示させる画像は、生体情報に加えて非生体個人情報及び非個人情報の少なくとも一方を含んでいてもよく、生体情報の代わりに非生体個人情報及び非個人情報の少なくとも一方を含んでいてもよい。
【０１７７】
表示要素２２０ａ及び２２０ｂに立体画像を表示させる代わりに、それらに互いに異なる平面画像を表示させてもよい。即ち、先の画像表示体２２には、観察角度に応じて表示画像が切り替わる構成を採用してもよい。
【０１７８】
表示要素２２０ａ及び２２０ｂには、回折格子及びホログラム以外のレリーフ構造を設けてもよい。例えば、表示要素２２０ａ及び２２０ｂには、構造色を表示するレリーフ構造として、光散乱異方性を有している光散乱構造を設けてもよい。
【０１７９】
光散乱異方性を有している光散乱構造は、光透過層２２５ａ又は２２５ｂの表面に設けられた複数の凹部及び／又は凸部を含んでいる。これら凹部及び／又は凸部は、Ｚ方向から見た場合に略一方向に延びた形状を有している。そして、これら凹部及び／又は凸部は、長さ及び幅の少なくとも一方が不規則である。或いは、これら凹部及び／又は凸部は、不規則に配置されている。例えば、これら凹部及び／又は凸部は、幅方向のピッチ及び長さ方向の位置の少なくとも一方が不規則である。或いは、これら凹部及び／又は凸部は、長さ及び幅の少なくとも一方が不規則であり且つ不規則に配置されている。
【０１８０】
このような光散乱構造は、凹部及び／又は凸部の長さ方向に対して平行な面内における光散乱能は低いが、凹部及び／又は凸部の長さ方向に対して垂直な面内における光散乱能は高い。従って、表示要素２２０ａと表示要素２２０ｂとで凹部及び／又は凸部の長さ方向を異ならしめると、例えば、観察者に、表示要素２２０ａが射出する散乱光及び表示要素２２０ｂが射出する散乱光を、それぞれ、右眼及び左眼で知覚させることができる。
【０１８１】
画像表示体２２及びラベル付き物品１００には、更に他の変形が可能である。  
図１１は、図１に示すラベル付き物品に採用可能な構造の更に他の例を拡大して示す平面図である。図１２は、図１１に示す構造のＸＩＩ−ＸＩＩ線に沿った断面図である。
【０１８２】
図１１及び図１２に示す構造は、以下の点を除き、図８及び図９を参照しながら説明した構造と同様である。
【０１８３】
即ち、図１１及び図１２に示す構造は、輝度調整要素２２０ｃを含んでいない。そして、図１１及び図１２に示す構造は、表示要素２２０ａ及び２２０ｂの代わりに、表示要素２２０Ａ乃至２２０Ｃを含んでいる。表示要素２２０Ａ乃至２２０Ｃの各々は、以下の点を除いて、表示要素２２０ａ又は２２０ｂと同様である。
【０１８４】
第１表示要素２２０Ａは、画素の少なくとも一部に対応して配列している。即ち、少なくとも１つの画素は、表示要素２２０Ａを含んでいる。
【０１８５】
表示要素２２０Ａは、可視光透過性を有している。また、表示要素２２０Ａは、特定の照明条件のもとで、例えば、第１方向から白色光で照明した場合に、可視域内の第１波長を有している回折光を第２方向へ射出するように構成されている。ここでは、一例として、第１波長の回折光は青色光であるとする。
【０１８６】
表示要素２２０Ａは、第１光透過層２２３Ａと第１反射層２２４Ａと第１樹脂層２２５Ａと第１保護層２２７Ａとを含んでいる。
【０１８７】
光透過層２２３Ａは、光透過性、具体的には可視光透過性を有しており、典型的には透明層である。光透過層２２３Ａの材料としては、例えば、光透過層２２３ａ又は２２３ｂについて上述したものを使用することができる。
【０１８８】
光透過層２２３Ａの一方の主面には、第１レリーフ構造が設けられている。ここでは、第１レリーフ構造は、光透過層２２３Ａの一方の主面の全体に設けられている。第１レリーフ構造は、光透過層２２３Ａの一方の主面の一部にのみ設けられていてもよい。
【０１８９】
第１レリーフ構造は、回折構造、即ち、回折格子及び／又はホログラムである。第１レリーフ構造は、特定の照明条件、例えば、第１方向から白色光で照明した場合に、可視域内の第１波長を有している回折光を第２方向へ射出する。
【０１９０】
反射層２２４Ａは、光透過層２２３Ａのレリーフ構造が設けられた面の少なくとも一部を被覆している。反射層２２４Ａは、可視光透過性を有している。反射層２２４Ａとしては、例えば、上述した透明反射層を使用することができる。
【０１９１】
樹脂層２２５Ａは、反射層２２４Ａを被覆している。樹脂層２２４Ａの材料としては、例えば、樹脂層２２５ａまたは２２５ｂについて上述したものを使用することができる。
【０１９２】
保護層２２７Ａは、光透過層２２３Ａのレリーフ構造が設けられた面の裏面を被覆している。保護層２２７Ａの材料としては、例えば、保護層２２７ａ又は２２７ｂについて上述したものを使用することができる。保護層２２７Ａは、省略することができる。
【０１９３】
第２表示要素２２０Ｂは、画素の一部に対応して配列している。即ち、少なくとも１つの画素は、表示要素２２０Ｂを含んでいる。
【０１９４】
また、表示要素２２０Ｂを含んだ画素と、表示要素２２０Ａを含んだ画素とは、部分的に重複している。ここでは、一例として、一部の画素は表示要素２２０Ａを含み且つ表示要素２２０Ｂを含んでおらず、他の一部の画素は表示要素２２０Ｂを含み且つ表示要素２２０Ａを含んでおらず、更に他の一部の画素は表示要素２２０Ａ及び２２０Ｂを含み、残りの画素は表示要素２２０Ａ及び２２０Ｂを含んでいないこととする。
【０１９５】
表示要素２２０Ａ及び２２０Ｂを含んだ画素では、表示要素２２０Ｂは、表示要素２２０Ａと向き合っている。表示要素２２０Ａ及び２２０Ｂを含んだ画素において、表示要素２２０Ａは、表示要素２２０Ｂと表紙本体２１との間に介在している。
【０１９６】
表示要素２２０Ｂは、可視光透過性を有している。また、表示要素２２０Ｂは、上記の照明条件のもとで、例えば、第１方向から白色光で照明した場合に、可視域内の第２波長を有している回折光を第２方向へ射出するように構成されている。第２波長は、第１波長とは異なっている。ここでは、一例として、第２波長の回折光は赤色光であるとする。
【０１９７】
表示要素２２０Ｂは、第２光透過層２２３Ｂと第２反射層２２４Ｂと第２樹脂層２２５Ｂと第２保護層２２７Ｂとを含んでいる。
【０１９８】
光透過層２２３Ｂは、光透過性、具体的には可視光透過性を有しており、典型的には透明層である。光透過層２２３Ｂの材料としては、例えば、光透過層２２３ａ又は２２３ｂについて上述したものを使用することができる。
【０１９９】
光透過層２２３Ｂの一方の主面には、第２レリーフ構造が設けられている。ここでは、第２レリーフ構造は、光透過層２２３Ｂの一方の主面の一部にのみ設けられていている。この主面のうち第２レリーフ構造が設けられている領域は、光透過層２２３Ａの上記主面のうち第１レリーフ構造が設けられている領域と比較して面積がより小さい。
【０２００】
第２レリーフ構造は、回折構造、即ち、回折格子及び／又はホログラムである。第２レリーフ構造は、上記の照明条件、例えば、第１方向から白色光で照明した場合に、可視域内の第２波長を有している回折光を第２方向へ射出する。
【０２０１】
反射層２２４Ｂは、光透過層２２３Ｂのレリーフ構造が設けられた面の少なくとも一部を被覆している。反射層２２４Ｂは、可視光透過性を有している。反射層２２４Ｂとしては、例えば、上述した透明反射層を使用することができる。
【０２０２】
樹脂層２２５Ｂは、反射層２２４Ｂを被覆している。樹脂層２２４Ｂの材料としては、例えば、樹脂層２２５ａまたは２２５ｂについて上述したものを使用することができる。
【０２０３】
保護層２２７Ｂは、光透過層２２３Ｂのレリーフ構造が設けられた面の裏面を被覆している。保護層２２７Ｂの材料としては、例えば、保護層２２７ａ又は２２７ｂについて上述したものを使用することができる。保護層２２７Ｂは、省略することができる。
【０２０４】
第３表示要素２２０Ｃは、画素の一部に対応して配列している。即ち、少なくとも１つの画素は、表示要素２２０Ｃを含んでいる。
【０２０５】
また、表示要素２２０Ｃを含んだ画素と、表示要素２２０Ａ及び２２０Ｂの少なくとも一方を含んだ画素とは、部分的に重複している。ここでは、一例として、一部の画素は表示要素２２０Ａを含み且つ表示要素２２０Ｂ及び２２０Ｃを含んでおらず、他の一部の画素は表示要素２２０Ａ及び２２０Ｂを含み且つ表示要素２２０Ｃを含んでおらず、更に他の一部の画素は表示要素２２０Ａ乃至２２０Ｃを含み、更に他の一部の画素は２２０Ｂを含み且つ表示要素２２０Ａ及び２２０Ｃを含んでおらず、更に他の一部の画素は表示要素２２０Ｂ及び２２０Ｃを含み且つ表示要素２２０Ａを含んでおらず、更に他の一部の画素は２２０Ｃを含み且つ表示要素２２０Ａ及び２２０Ｂを含んでおらず、残りの画素は表示要素２２０Ａ乃至２２０Ｃを含んでいないこととする。
【０２０６】
表示要素２２０Ａ及び２２０Ｃを含んだ画素では、表示要素２２０Ｃは、表示要素２２０Ａと向き合っている。表示要素２２０Ａ及び２２０Ｃを含んだ画素において、表示要素２２０Ａは、表示要素２２０Ｃと表紙本体２１との間に介在している。
【０２０７】
表示要素２２０Ｂ及び２２０Ｃを含んだ画素では、表示要素２２０Ｃは、表示要素２２０Ｂと向き合っている。表示要素２２０Ｂ及び２２０Ｃを含んだ画素において、表示要素２２０Ｂは、表示要素２２０Ｃと表紙本体２１との間に介在している。
【０２０８】
表示要素２２０Ｃは、可視光透過性を有している。また、表示要素２２０Ｃは、上記の照明条件のもとで、例えば、第１方向から白色光で照明した場合に、可視域内の第３波長を有している回折光を第２方向へ射出するように構成されている。第３波長は、第１及び第２波長とは異なっている。ここでは、一例として、第３波長の回折光は緑色光であるとする。
【０２０９】
表示要素２２０Ｃは、第３光透過層２２３Ｃと第３反射層２２４Ｃと第３樹脂層２２５Ｃと第３保護層２２７Ｃとを含んでいる。
【０２１０】
光透過層２２３Ｃは、光透過性、具体的には可視光透過性を有しており、典型的には透明層である。光透過層２２３Ｃの材料としては、例えば、光透過層２２３ａ又は２２３ｂについて上述したものを使用することができる。
【０２１１】
光透過層２２３Ｃの一方の主面には、第３レリーフ構造が設けられている。ここでは、第３レリーフ構造は、光透過層２２３Ｃの一方の主面の一部にのみ設けられていている。この主面のうち第３レリーフ構造が設けられている領域は、光透過層２２３Ｂの上記主面のうち第２レリーフ構造が設けられている領域と比較して面積がより小さい。
【０２１２】
第３レリーフ構造は、回折構造、即ち、回折格子及び／又はホログラムである。第３レリーフ構造は、上記の照明条件、例えば、第１方向から白色光で照明した場合に、可視域内の第３波長を有している回折光を第２方向へ射出する。
【０２１３】
反射層２２４Ｃは、光透過層２２３Ｃのレリーフ構造が設けられた面の少なくとも一部を被覆している。反射層２２４Ｃは、可視光透過性を有している。反射層２２４Ｃとしては、例えば、上述した透明反射層を使用することができる。
【０２１４】
樹脂層２２５Ｃは、反射層２２４Ｃを被覆している。樹脂層２２４Ｃの材料としては、例えば、樹脂層２２５ａまたは２２５ｂについて上述したものを使用することができる。
【０２１５】
保護層２２７Ｃは、光透過層２２３Ｃのレリーフ構造が設けられた面の裏面を被覆している。保護層２２７Ｃの材料としては、例えば、保護層２２７ａ又は２２７ｂについて上述したものを使用することができる。保護層２２７Ｃは、省略することができる。
【０２１６】
この構成を採用した場合、各画素に、第１波長の回折光による青色、第２波長の回折光による赤色、又は第３波長の回折光による緑色を表示させることができるのに加え、それらの加法混色によって生じる色を表示させることも可能である。即ち、各画素を表示色が異なるサブ画素へと分割することなしに、多色画像を表示することができる。
【０２１７】
また、この構造では、第１レリーフ構造が設けられている領域の面積と、第２レリーフ構造が設けられている領域の面積と、第３レリーフ構造が設けられている領域の面積とを、この順に小さくしている。こうすると、それらの面積比を適宜設定することにより、例えば、表示要素２２０Ａ乃至２２０Ｃの何れか１つのみを含んだ画素と、表示要素２２０Ａ乃至２２０Ｃの何れか２つを含んだ画素と、表示要素２２０Ａ乃至２２０Ｃを含んだ画素との各々において、目標とする色相を容易に再現することができる。
【０２１８】
なお、この構造において、表示要素２２０Ａ乃至２２０Ｃの何れか１つは省略してもよい。或いは、この構造は、表示要素２２０Ａ乃至２２０Ｃとは回折光の波長が異なる他の表示要素を更に含んでいてもよい。回折構造として回折格子を設ける場合、回折光の波長は、格子定数及び／又は溝の長さ方向によって制御することができる。
【０２１９】
また、この構造は、図８及び図９を参照しながら説明した輝度調整要素２２０ｃを更に含んでいてもよい。
【０２２０】
図１１及び図１２を参照しながら説明した構造を利用して、多色の立体画像を表示することも可能である。例えば、各画素を右眼用のサブ画素と左眼用のサブ画素とで構成し、図１１及び図１２の画像表示体２２において各画素において採用していた構造を、各サブ画素に採用してもよい。或いは、各画素において、表示色が互いに異なる複数の右眼用表示要素と、表示色が互いに異なる複数の左眼用表示要素とを積層してもよい。即ち、図１１及び図１２を参照しながら説明した構造は、図２及び図３を参照しながら説明した構造又は図８及び図９を参照しながら説明した構造と組み合わせてもよい。勿論、多色の立体画像を表示する構成を採用する代わりに、観察角度に応じて表示画像が切り替わる構成を採用してもよい。
【符号の説明】
【０２２１】
１…折り丁、２…表紙、１１…紙片、１２…印刷パターン、２１…表紙本体、２２…画像表示体、２２’…転写材層、１００…ラベル付き物品、２０１ａ…転写箔、２０１ｂ…転写箔、２２０ａ…第１表示要素、２２０Ａ…第１表示要素、２２０ａ’…転写材層、２２０ｂ…第２表示要素、２２０Ｂ…第２表示要素、２２０ｂ’…転写材層、２２０ｃ…輝度調整要素、２２０Ｃ…第３表示要素、２２３ａ…第１光透過層、２２３Ａ…第１光透過層、２２３ａ’…光透過層、２２３ｂ…第２光透過層、２２３Ｂ…第２光透過層、２２３ｂ’…光透過層、２２３ｃ…光透過層、２２３Ｃ…第３光透過層、２２４…鏡面反射層、２２４’…鏡面反射層、２２４ａ…第１反射層、２２４Ａ…第１反射層、２２４ａ’…反射層、２２４ｂ…第２反射層、２２４Ｂ…第２反射層、２２４ｂ’…反射層、２２４ｃ…反射層、２２４Ｃ…第３反射層、２２５…樹脂層、２２５ａ…第１樹脂層、２２５Ａ…第１樹脂層、２２５ａ’…樹脂層、２２５ｂ…第２樹脂層、２２５Ｂ…第２樹脂層、２２５ｂ’…樹脂層、２２５ｃ…樹脂層、２２５Ｃ…第３樹脂層、２２６…支持体、２２６ａ…支持体、２２６ｂ…支持体、２２７…保護層、２２７’…剥離保護層、２２７ａ…第１保護層、２２７Ａ…第１保護層、２２７ａ’…剥離保護層、２２７ｂ…第２保護層、２２７Ｂ…第２保護層、２２７ｂ’…剥離保護層、２２７ｃ…保護層、２２７Ｃ…第３保護層、２２５１…樹脂層、２２５１’…樹脂層、２２５２…樹脂層、２２５２’…樹脂層、Ｇａ…溝、Ｇｂ…溝、Ｉ１ａ…画像、Ｉ１ｂ…画像、Ｉ２…画像、Ｉ３…画像。
【図１】
0005637371.tif 000002
【図２】
0005637371.tif 000003
【図３】
0005637371.tif 000004
【図４】
0005637371.tif 000005
【図５】
0005637371.tif 000006
【図６】
0005637371.tif 000007
【図７】
0005637371.tif 000008
【図８】
0005637371.tif 000009
【図９】
0005637371.tif 000010
【図１０】
0005637371.tif 000011
【図１１】
0005637371.tif 000012
【図１２】
0005637371.tif 000013